【事件の表示】
　特願２０１５−５０４９１７「圧縮空気エネルギー貯蔵システム」拒絶査定不服審判事件〔平成２５年１０月１７日国際公開、ＷＯ２０１３／１５３０１９、平成２７年４月３０日国内公表、特表２０１５−５１３０４０〕について、次のとおり審決する。
【結　論】
　本件審判の請求は、成り立たない。
【理　由】
第１　手続の経緯
　本願は、２０１３年４月８日（パリ条約による優先権主張外国庁受理２０１２年４月１２日、イタリア国）を国際出願日とする出願であって、平成２９年１月２４日付け（発送日：同年２月７日）で拒絶理由が通知され、同年４月２４日に意見書及び手続補正書が提出されたが、同年９月２７日付け（発送日：同年１０月１０日）で拒絶査定がされ、これに対して平成３０年２月７日に拒絶査定不服審判が請求され、その後、同年９月２１日付け（発送日：同年９月２５日）で当審より拒絶の理由（以下、「当審拒絶理由」という。）が通知され、その指定期間内の同年１２月１９日に意見書及び手続補正書が提出されたものである。
第２　本願発明
　本願の請求項１ないし２５に係る発明は、平成３０年１２月１９日の手続補正により補正された特許請求の範囲の請求項１ないし２５に記載されたものと認めるところ、請求項１に係る発明（以下、「本願発明」という。）は以下のとおりである。
「【請求項１】
　圧縮空気エネルギー貯蔵システム（１０２、２０２）であって、
　第１の圧力の空気流を受け、前記空気流を第２の圧力に部分的に膨張させるように構成された少なくとも１つの可変ノズル膨張器（１１５、１１５Ａ、２１５、２１５Ａ）であって、前記第２の圧力が、前記第１の圧力よりも低く、前記少なくとも１つの可変ノズル膨張器（１１５、１１５Ａ、２１５、２１５Ａ）内の前記空気流の膨張が有用な機械動力を生成する、少なくとも１つの可変ノズル膨張器（１１５、１１５Ａ、２１５、２１５Ａ）と、
　燃料および前記少なくとも１つの可変ノズル膨張器（１１５、１１５Ａ、２１５、２１５Ａ）から部分的に膨張した空気流を受けるように構成された少なくとも１つの熱発生器構成要素（１２５、２２５）と、
　前記熱発生器構成要素（１２５、２２５）から燃焼ガスを受け、前記燃焼ガスを膨張させ、有用な機械動力を生成するように構成された少なくとも１つのタービン（１３１、２３１）と、
　選択的に熱エネルギーを貯蔵し、前記空気流に熱エネルギーを送達するように構成された少なくとも１つの第１の熱エネルギー貯蔵装置および少なくとも１つの第２の熱エネルギー貯蔵装置（３０３、３０５）と、
を備え、
　前記少なくとも１つの可変ノズル膨張器（１１５、１１５Ａ、２１５、２１５Ａ）が、前記第２の圧力を概ね一定の圧力値の圧力範囲内に維持するように制御され、
　前記少なくとも１つの第１の熱エネルギー貯蔵装置（３０３、３０５）が、前記少なくとも１つの可変ノズル膨張器（１１５、１１５Ａ、２１５、２１５Ａ）の上流の前記空気流に熱エネルギーを伝達するように構成され、配置されており、前記少なくとも１つの第２の熱エネルギー貯蔵装置（３０３、３０５）が、前記少なくとも１つの可変ノズル膨張器（１１５、１１５Ａ、２１５、２１５Ａ）と前記少なくとも１つの熱発生器構成要素（１２５、２２５）との間の前記空気流に熱エネルギーを伝達するように構成され、配置されている、
システム（１０２、２０２）。」
第３　当審拒絶理由の概要
　当審拒絶理由の概要は以下のとおりである。
（進歩性）本願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。 
 　　　　　記　　　（引用文献等については引用文献等一覧参照） 
請求項１ないし１１、１９ないし２６に対して：引用文献等１ないし４ 
請求項１２ないし１８、２７及び２８に対して：引用文献等１ないし５ 
＜引用文献等一覧＞
１．特開平２−４５６２２号公報
２．特開２００３−３０１７９８号公報
３．特開２００２−３３９７６０号公報
４．特開昭５８−１７６４０７号公報
５．米国特許出願公開第２０１１／００９４２３１号明細書
第４　引用文献、引用発明、引用文献記載事項
１．引用文献１
　当審拒絶理由で引用された引用文献１（特開平２−４５６２２号公報）には、「圧縮空気貯蔵発電装置」に関して、図面（特に、第１、３及び４図を参照。）とともに、次の事項が記載されている。なお、下線は理解の一助のために当審が付与した。以下同様。
（１）「その技術の一つとして，余剰電力により圧縮機を駆動して圧縮空気を貯蔵し，電力が必要な時にその圧縮空気によりタービンを駆動して発電する従来の圧縮空気貯蔵発電装置の一例を，第３図により説明する。
（ｉ）圧縮空気貯蔵運転
　サイリスタインバータ付きの同期発電電動機（１）を電動機として使用し，これを夜間の余剰電力によって回転させ，嵌脱装置（２Ａ）を介して同軸上に結合された低圧圧縮機（３），（４），（５）を駆動する。圧縮された空気は逆止弁（６），遮断弁（１９）を経て，電動機（７）によって駆動される高圧圧縮機（８）で更に圧縮され，後置冷却器（９Ｄ），逆止弁（１０）を経て圧縮空気貯蔵タンク（１１）に貯蔵される。各圧縮機（３），（４），（５），（８）の間には，圧縮仕事を減少させるために，中間冷却器（９Ａ），（９Ｂ），（９Ｃ）が配設される。後置冷却器（９Ｄ）を設けるのは，タンク内に貯蔵できる空気量が空気の絶対温度に逆比例するので，貯蔵能力を増すためである。このとき遮断弁（１２），（１３），（１４）は閉じ，嵌脱装置（２Ｂ）は脱状態にしておく。
（ii）回収発電運転
　次に昼間のピーク時には，遮断弁（１３），（１９）を閉じ遮断弁（１２），（１４）を開くと，
圧縮空気貯蔵タンク（１１）内の圧縮空気は，空気タービン（１５）で膨脹してその圧力が高温のガスタービン（１６）の入口ガス温度に見合った圧力まで低下する
再生熱交換器（１７）でガスタービンの排熱を吸収し，燃焼器（１８）で燃料を燃焼させて高温ガスとなる
ガスタービン（１６）で膨脹し，再生熱交換器（１７）を経て大気に排出される
このとき嵌脱装置（２Ｂ）は嵌，（２Ａ）は脱状態にされており，同期発電電動機（１）は発電機として使用される。また
空気タービン（１５）により発電機（２２）が駆動される
（２）「
第１図は本発明の一実施例を示す系統図
これらの図において，前記第３図および第４図により説明した従来のものと同様の部分については，同一の符号を付けて詳しい説明を省略する
　まず第１図に示されるように本実施例においては，低圧圧縮機（３）の回転軸と低圧圧縮機（４），（５）の回転軸とは互いに結合されておらず，低圧圧縮機（３）は電動機（３６），低圧圧縮機（４），（５）は電動機（３７）により，それぞれ別個に駆動されるようになっている。そして，これら低圧圧縮機（３），（４），（５）の吐出側と高圧圧縮機（８）の吐出側には，それぞれ放風弁（３５Ａ），（３５Ｂ），（３５Ｃ），（３５Ｄ）が設けられている。また
ガスタービン（１６）には，発電電動機ではなく発電機（３４）が，嵌脱装置などを介さず，直接に結合されている
（３）「次に，
空気タービン（１５）の入口静翼取付角も可変式とする
空気圧力の上昇とともに翼間通路面積を狭め，上昇した空気の圧力エネルギを有効に動力として回収し，発電量を増大させる
（４）上記（１）及び第１図の図示内容から、再生熱交換器（１７）は、入口静翼取付角可変式空気タービン（１５）で膨張した空気に熱エネルギーを送達するように構成されており、入口静翼取付角可変式空気タービン（１５）と燃焼器（１８）との間の空気に熱を伝達するように構成され、配置されているといえる。
（５）上記（１）の記載事項及び技術常識を踏まえると、入口静翼取付角可変式空気タービン（１５）による膨張後の空気の圧力が、圧縮空気貯蔵タンク（１１）内の圧縮空気の圧力よりも低いことは自明である。
　上記記載事項及び認定事項並びに図面の図示内容からみて、引用文献１には、次の発明（以下、「引用発明」という。）が記載されている。
「圧縮空気貯蔵発電装置であって、
　圧縮空気貯蔵タンク（１１）内の圧縮空気を受け、前記圧縮空気を膨張させるように構成された入口静翼取付角可変式空気タービン（１５）であって、前記入口静翼取付角可変式空気タービン（１５）による膨張後の空気の圧力が、前記圧縮空気貯蔵タンク（１１）内の圧縮空気の圧力よりも低く、前記入口静翼取付角可変式空気タービン（１５）により発電機（２２）が駆動される入口静翼取付角可変式空気タービン（１５）、
　燃料および前記入口静翼取付角可変式空気タービン（１５）で膨張した空気を受けるように構成された燃焼器（１８）、
　前記燃焼器（１８）から高温ガスを受け、前記高温ガスを膨張させ、発電機（３４）を駆動するように構成されたガスタービン（１６）と、
　前記入口静翼取付角可変式空気タービン（１５）で膨張した空気に熱エネルギーを送達するように構成された再生熱交換器（１７）と、
を備え、
　前記入口静翼取付角可変式空気タービン（１５）が、空気圧力の上昇とともに翼間通路面積を狭め、上昇した空気の圧力エネルギーを有効に動力として回収し発電量を増大させ、
　前記再生熱交換器（１７）が、前記入口静翼取付角可変式空気タービン（１５）と前記燃焼器（１８）との間の空気に熱を伝達するように構成され、配置されている、
圧縮空気貯蔵発電装置。」
２．引用文献２
　引用文献２（特開２００３−３０１７９８号公報）には、次の事項が記載されている。
（１）「【００２３】次に、上記の圧縮機を備えたガスタービンについて説明する。図２に示すガスタービン１００は、図１に示す圧縮機１０を備えたガスタービン１００の構成を示すものである。
ガスタービン１００は、供給された空気を圧縮して吐出する圧縮機１０と、圧縮機１０から吐出された空気と燃料とが混合燃焼される燃焼器１１０と、燃焼器１１０の燃焼ガスにより駆動されるタービン１２０を備えてなる
【００２４】上記の構成のガスタービン１００によれば、供給される空気の流量に変化があっても、
圧縮機１０は空気の流量に依らず吐出口の圧力を一定の圧力に調節することができるため、ガスタービン１００は安定に運転され、出力も安定させることができる
　上記記載事項からみて、引用文献２には、次の事項（以下、「引用文献２記載事項」という。）が記載されている。
「ガスタービン１００の燃焼器１１０に空気を供給する圧縮機１０の吐出口の圧力を一定に調節することで、ガスタービン１００の運転及び出力を安定させること。」
３．引用文献３
　引用文献３（特開２００２−３３９７６０号公報）には、図面（特に、図１及び１１を参照）ととに、次の事項が記載されている。
（１）「【００５１】
図１１は
燃焼器へ供給する加圧した気化空気の圧力調整装置を示したものである
【００５２】
図１２は、図１１の圧力調整装置による供給空気の圧力制御状態を示した一例である。図１２において、燃焼器供給空気圧力が設定圧力Ｓ１より低い場合には、圧力調整弁１２へは開度減少要求信号が出力されることから、燃焼器供給空気圧力は次第に上昇する。その結果、圧力調整弁１２の開度は再び増加し整定する。同様にして、燃焼器供給空気圧力が設定圧力Ｓ１より高い場合には、圧力調整弁１２へは開度増加信号が出力される。これにより、燃焼器供給空気圧力は次第に低下し、圧力調整弁１２の開度も減少する
【００５３】燃焼器供給空気圧力が上昇した際に、圧力調整弁１２の開度増加にもかかわらず圧力が低下しないような場合、蓄冷槽内の伝熱管内の圧力も上昇する。その結果、伝熱管内空気の平均的な気化位置が下流側に移動し、それに伴い蓄冷槽からの空気加熱量も増加し、さらなる圧力上昇を引き起こす可能性がある。このため、予め設定した圧力を超えて燃焼器供給空気圧力が増加した場合には、バイパス弁１８が開動作し蓄冷槽内の空気圧力の増加を抑制する。これにより、蓄冷槽を用いた
気化空気の安定な供給を実現する
【００５４】
【発明の効果】本発明のガスタービン発電方法および装置によれば、液体空気の原料となる吸気空気から湿分及び二酸化炭素を吸着器により連続的に除去し、極低温となる蓄冷槽の伝熱管内部での氷結を防止することにより安定な空気液化を実現することができる。また、製造した液体空気を空気圧縮機の吸気側に噴霧することにより吸気温度を低下させることにより、必要とする圧縮機動力の最大値を低減し圧縮機容量を小さくすることができる。さらに、蓄冷槽による液体空気の気化において、蓄冷槽内の伝熱管を水平配置とすることにより内部の気化位置の影響を受けにくくした構造、及び蓄冷槽からの
気化空気圧力調整手段を設置して安定な気化を実現するガスタービン発電方法および装置が実現できる
　上記記載事項及び図面の図示内容からみて、引用文献３には、次の事項（以下、「引用文献３記載事項」という。）が記載されている。
「ガスタービンの燃焼器へ供給する加圧した空気の圧力を調整する圧力調整手段により、燃焼器への供給空気圧力の変動を抑制すること。」
４．引用文献４
　引用文献４（特開昭５８−１７６４０７号公報）には、図面（特に、第６図を参照）ととに、次の事項が記載されている。
（１）「ガスタービンユニット１０ａ内の空気圧縮機１ａによる加圧空気を前記管２２よりの加圧空気に切換えるＶＣは次の操作による。即ち弁２３、管２４，２５を経て
燃焼器２ａに加圧空気を供給するが、燃焼器２ａの入口、管２５の圧力を一定に保つ様に弁２６を制御し
　上記記載事項及び図面の図示内容からみて、引用文献４には、次の事項（以下、「引用文献４記載事項」という。）が記載されている。
「ガスタービンユニット１０ａの燃焼器２ａに加圧空気を供給する際、燃焼器２ａの入口の圧力を一定に保つこと。」
５．引用文献５
　引用文献５（米国特許出願公開第２０１１／００９４２３１号明細書）には、図面（特に、図１を参照）とともに、次の事項が記載されている。
（１）「[0019] According to embodiments of the invention, a multi-stage thermal energy storage (TES) system is provided to cool and heat air in an adiabatic compressed air energy storage (ACAES) system. The multi-stage TES system includes a plurality of TES units whose operating conditions can be switched or reversed between operation of the ACAES system in a compression mode and an expansion mode.
[0020] Referring to  FIG.1, a block schematic diagram of an adiabatic compressed air energy storage (ACAES) system 10 is shown according to an embodiment of the invention. ACAES system 10 includes a motor-generator unit 12 (which may be a combined unit or separate units), a driving shaft 14, a compression system or train 16, a compressed air storage volume or cavern  18, and a turbine system or train 20.
[0021] Motor-generator unit 12 is electrically connected to, for example, a baseload power generating plant (not shown) to receive power therefrom. Motor-generator unit 12 and drive shaft 14 are selectively coupled to compressor system 16 and turbine system 20 through clutches (not shown). Compressor system 16 is coupled to motor-generator unit 12 and drive shaft 14 during a compression mode of operation, while turbine system 20 is decoupled from the motor-generator unit 12  and drive shaft 14. During an expansion mode of operation, turbine system 20 is coupled to motor-generator unit 12 and drive shaft 14, while compressor system 16  is decoupled from the motor-generator unit 12 and drive shaft 14.
[0022] According to an embodiment of the invention, motor-generator unit 12 drives drive shaft 14 during the compression mode of operation (i.e., compression stage). In turn, drive shaft 14 drives compressor system 16, which includes a low pressure compressor 22 and a high pressure compressor 24, such that a quantity of ambient air enters an ambient air intake 26 (i.e., inlet) and is compressed by the compressor system 16. Low pressure compressor 22 is coupled to high pressure compressor 24 via a compression path 28 (i.e., compressor conduit). According to the present embodiment, low pressure compressor 22 compresses the ambient air. The compressed ambient air then passes along compression path 28 to high pressure compressor 24, where the ambient air is further compressed before exiting the compression path 28 at a compression path outlet 30 and being transferred to cavern 18.
[0023] After compressed air is stored in cavern 18, compressed air can be allowed to enter an inlet 32 of an expansion path 34 (i.e., turbine conduit) during the expansion mode of operation (i.e., expansion stage). The compressed air proceeds down the expansion path 34 to turbine system 20, which includes a low pressure turbine 36 and a high pressure turbine 38. Due to the configuration of turbine system 20, the compressed air is allowed to expand as it passes therethrough; thus, causing rotation of turbines 36, 38 of turbine system 20 so as to facilitate power generation. The rotation of turbine system 20 causes drive shaft 14 to rotate. In turn, drive shaft 14 drives motor-generator unit 12, causing the unit to function as a generator to produce electricity.
[0024] As shown in FIG.1, ACAES system 10 also includes a multi-stage thermal energy storage (TES) system 40 configured to cool and heat the air passing through the compression and expansion paths 28, 34 as it is being compressed/expanded by the compressor and turbine systems 16, 20. The multi-stage TES system 40 is comprised of a plurality of individual TES units 42, 44 that may take on a variety of forms. Each TES unit generally has two main elements, a thermal fill 46 and a containment vessel 48. The thermal fill 46 is a heat storage material of sufficient quantity to store the heat of compression generated during the compression cycle. The thermal fill material 46 is typically cycled at least once a day. The containment vessel 48 supports the thermal fill 46 and, depending on the design, contains the operating pressure. According to an embodiment of the invention, the TES units 42, 44 may be of the indirect type in which cycled air transfers heat to and from the thermal fill 46 without direct contact by using a heat exchanger (not shown). Such a device permits the use of a wide variety of thermal fill materials, such as thermal oil or molten salt. According to another embodiment of the invention, the TES units 42, 44 may be of the direct type in which solid material such as pebbles are in direct contact with the compressed air as it is being cycled, such as a pebble bed.
[0025] In operation, the multi-stage TES system 40 functions to remove heat from the compressed air during a compression or charging stage/mode of operation of ACAES system 10. As air is compressed by compressor system 16 and as it passes along compression path 28 to cavern 18, multi-stage TES system 40 cools the compressed air. That is, before the compressed air is stored in cavern 18, it is passed through multi-stage TES system 40 to remove heat from the compressed air prior to storage in the cavern, so as to protect the integrity thereof. The heat is stored by multi-stage TES system 40, and is later conveyed back to the compressed air during an expansion or discharging stage/mode of operation of ACAES system 10. As the compressed air is released from cavern 18 and passes through expansion path 34 to be expanded by turbine system 20, the air is heated as it passes back through multi-stage TES system 40.
[0026] According to the embodiment of FIG.1, the multi-stage TES system 40 includes a first TES unit 42 and a second TES unit 44 that are positioned intermittently along the compression path 28 and the expansion path 34 to provide cooling/heating to air passing therethrough. According to an exemplary embodiment, the compression path 28 is arranged or routed such that air is first directed to first TES unit 42 and is then subsequently directed to second TES unit 44. Air is brought into compression path 28 through inlet 26 and provided to low pressure compressor 22. Low pressure compressor 22 compresses the air to a first pressure level (i.e., a low pressure) and the air is then routed through compression path 28 to first TES unit 42, where the air is cooled. The air then continues through compression path 28 to high pressure compressor 24, where the air is compressed to a second pressure level (i.e., a high pressure). The air is then routed through compression path 28 to second TES unit 44, where the air is again cooled before exiting compression path 28 through outlet 30 for storage in cavern 18. Compression path 28 is thus routed such that first TES unit 42 is positioned on compression path 28 between low pressure compressor 22 and high pressure compressor 24 and such that second TES unit 44 is positioned on compression path 28 downstream of the high pressure compressor 24 to cool air compressed by the high pressure compressor.
[0027] According to an exemplary embodiment, the expansion path 34 is routed such that air is first directed to first TES unit 42 and is then subsequently directed to second TES unit 44. Air is brought into expansion path 34 through inlet 32 and provided to first TES unit 42, where the air is heated. The heated air is then passed through expansion path 34 to high pressure turbine 38, which expands the air. The air then continues through expansion path 34 and is directed to second TES unit 44, where the air is again heated before being passed along expansion path 34 to low pressure turbine 36. The air is then expanded again in low pressure turbine 36 and vented to the environment, for example.」
（仮訳）
 「［0019]本発明の実施形態によれば、断熱圧縮空気エネルギー貯蔵（ＡＣＡＥＳ）システム内の空気を冷却および加熱するための多段熱エネルギー貯蔵（ＴＥＳ）システムが提供される。多段ＴＥＳシステムには、圧縮モードにおけるＡＣＡＥＳシステムの動作と、膨張モードにおけるＡＣＡＥＳシステムの動作との間でその動作条件を切り換える、つまり反転させることができる複数のＴＥＳユニットが含まれている。
［0020]
図１を参照すると、本発明の一実施形態による断熱圧縮空気エネルギー貯蔵（ＡＣＡＥＳ）システム１０の略ブロック図が示されている
［0021]電動機−発電機ユニット１２は、電力を受け取るために例えばベース負荷発電装置（図示せず）に電気接続されている。電動機−発電機ユニット１２および駆動軸１４は、クラッチ（図示せず）を介して選択的に圧縮機システム１６およびタービンシステム２０に結合される。圧縮機システム１６は、圧縮動作モードの間、電動機−発電機ユニット１２および駆動軸１４に結合され、一方、タービンシステム２０は、電動機−発電機ユニット１２および駆動軸１４との結合が解除される。膨張動作モードの間、タービンシステム２０は、電動機−発電機ユニット１２および駆動軸１４に結合され、一方、圧縮機システム１６は、電動機−発電機ユニット１２および駆動軸１４との結合が解除される。
［0022]本発明の一実施形態によれば、電動機−発電機ユニット１２は、圧縮動作モード（つまり圧縮段）の間、駆動軸１４を駆動する。駆動軸１４が駆動されると、駆動軸１４は、一定量の周囲空気が周囲空気吸込み口２６（つまり入口）に流入し、圧縮機システム１６によって圧縮されるよう、低圧圧縮機２２および高圧圧縮機２４を含んだ圧縮機システム１６を駆動する。低圧圧縮機２２は、圧縮経路２８（つまり圧縮機コンジット）を介して高圧圧縮機２４に結合されている。この実施形態によれば、低圧圧縮機２２は周囲空気を圧縮する。圧縮された周囲空気は、次に、圧縮経路２８に沿って高圧圧縮機２４へ流れ、圧縮経路出口３０で圧縮経路２８から出る前に高圧圧縮機２４でさらに圧縮された後、キャバーン１８へ移送される。
［0023]圧縮空気がキャバーン１８に貯蔵されると、圧縮空気は、膨張動作モード（つまり膨張段）の間、膨張経路３４（つまりタービンコンジット）の入口３２に流入することができる。
圧縮空気は、膨張経路３４を下って、低圧タービン３６および高圧タービン３８を含んだタービンシステム２０に流入する
圧縮空気は、タービンシステム２０を通って流れる際に膨張することができ、したがってタービンシステム２０のタービン３６、３８が回転し、それにより容易に電力を生成することができる
［0024]図１に示されているように、ＡＣＡＥＳシステム１０には、さらに、
圧縮機システムおよびタービンシステム１６、２０によって圧縮／膨張される際に圧縮経路および膨張経路２８、３４を通って流れる空気を冷却および加熱するように構成された多段熱エネルギー貯蔵（ＴＥＳ）システム４０が含まれている。多段ＴＥＳシステム４０は、様々な形態を取ることができる複数の個別のＴＥＳユニット４２、４４からなっている
［0025]動作中、多段ＴＥＳシステム４０は、ＡＣＡＥＳシステム１０の圧縮すなわち「充填」段／動作モードの間、圧縮空気から熱を除去するように機能する。圧縮機システム１６によって空気が圧縮され、また、空気が圧縮経路２８に沿ってキャバーン１８へ流れると、多段ＴＥＳシステム４０によって圧縮空気が冷却される。つまり、圧縮空気は、キャバーンの完全性を保護するために、キャバーン１８に貯蔵される前に多段ＴＥＳシステム４０を通って流れ、キャバーンに貯蔵される前に圧縮空気から熱が除去される。熱は、多段ＴＥＳシステム４０によって貯蔵され、後に、ＡＣＡＥＳシステム１０の膨張すなわち「吐出」段／動作モードの間、圧縮空気に戻される。圧縮空気がキャバーン１８から解放され、膨張経路３４を通って流れると、タービンシステム２０によって膨張し、空気は、多段ＴＥＳシステム４０を通って戻る際に加熱される。
［0026]
図１の実施形態によれば、多段ＴＥＳシステム４０には、圧縮経路２８および膨張経路３４を通って流れる空気を冷却／加熱するために、圧縮経路２８および膨張経路３４に沿って間欠的に配置されている第１のＴＥＳユニット４２および第２のＴＥＳユニット４４が含まれている
［0027]一例示的実施形態によれば、
膨張経路３４は、空気が最初に第１のＴＥＳユニット４２へ導かれ、次に、引き続いて第２のＴＥＳユニット４４へ導かれるように経路付けされている
空気は、入口３２を介して膨張経路３４へもたらされ、第１のＴＥＳユニット４２に供給され、そこで空気が加熱される。加熱された空気は、次に、膨張経路３４を通って、空気を膨張させる高圧タービン３８へ流れる。空気は、次に、引き続いて膨張経路３４を通って第２のＴＥＳユニット４４へ導かれ、そこで、膨張経路３４に沿って低圧タービン３６へ流れる前に、もう一度空気が加熱される
（２）上記（１）（特に、段落[0023]及び[0027]）及び図１の図示内容から、第１のＴＥＳユニット４２が、高圧タービン３８の上流の空気流に熱エネルギーを伝達するように構成され、配置されており、第２のＴＥＳユニット４４が、高圧タービン３８とタービン３６との間の空気流に熱エネルギーを伝達するように構成され、配置されている、といえる。
　上記記載事項及び図面の図示内容からみて、引用文献５には、次の事項（以下、「引用文献５記載事項」という。）が記載されている。
「選択的に熱エネルギーを貯蔵し、空気流に熱エネルギーを送達するように構成された第１のＴＥＳユニット４２および第２のＴＥＳユニット４４、を備え、前記第１のＴＥＳユニット４２が、高圧タービン３８の上流の前記空気流に熱エネルギーを伝達するように構成され、配置されており、前記第２のＴＥＳユニット４４が、前記高圧タービン３８と低圧タービン３６との間の前記空気流に熱エネルギーを伝達するように構成され、配置されている、圧縮空気エネルギー貯蔵システム。」
第５　対比・判断
　本願発明と引用発明とを対比すると、引用発明の「圧縮空気貯蔵発電装置」は、その機能、構成及び技術的意義からみて、「圧縮空気エネルギー貯蔵システム」及び「システム」に相当し、以下同様に、「圧縮空気貯蔵タンク内の圧縮空気」は「第１の圧力の空気流」に、「前記圧縮空気を膨張させる」は「前記空気流を第２の圧力に部分的に膨張させる」に、「入口静翼取付角可変式空気タービン（１５）」は「少なくとも１つの可変ノズル膨張器」に、「前記入口静翼取付角可変式空気タービン（１５）による膨張後の空気の圧力が、前記圧縮空気貯蔵タンク（１１）内の圧縮空気の圧力よりも低く」は「前記第２の圧力が、前記第１の圧力よりも低く」に、「前記入口静翼取付角可変式空気タービン（１５）により発電機（２２）が駆動される」は「前記少なくとも１つの可変ノズル膨張器内の前記空気流の膨張が有用な機械動力を生成する」に、「燃焼器（１８）」は「少なくとも１つの熱発生器構成要素」に、「高温ガス」は「燃焼ガス」に、「発電機（３４）を駆動する」は「有用な機械動力を生成する」に、「ガスタービン（１６）」は「少なくとも１つのタービン」に、それぞれ相当する。
　また、引用発明の「前記入口静翼取付角可変式空気タービン（１５）で膨張した空気に熱エネルギーを送達するように構成された再生熱交換器（１７）」と、本願発明の「選択的に熱エネルギーを貯蔵し、前記空気流に熱エネルギーを送達するように構成された少なくとも１つの第１の熱エネルギー貯蔵装置および少なくとも１つの第２の熱エネルギー貯蔵装置（３０３、３０５）」とは、「前記空気流に熱エネルギーを送達するように構成された手段」という限りにおいて一致し、引用発明の「前記再生熱交換器（１７）が、前記入口静翼取付角可変式空気タービン（１５）と前記燃焼器（１８）との間の空気に熱を伝達するように構成され、配置されている」と、本願発明の「前記少なくとも１つの第１の熱エネルギー貯蔵装置（３０３、３０５）が、前記少なくとも１つの可変ノズル膨張器（１１５、１１５Ａ、２１５、２１５Ａ）の上流の前記空気流に熱エネルギーを伝達するように構成され、配置されており、前記少なくとも１つの第２の熱エネルギー貯蔵装置（３０３、３０５）が、前記少なくとも１つの可変ノズル膨張器（１１５、１１５Ａ、２１５、２１５Ａ）と前記少なくとも１つの熱発生器構成要素（１２５、２２５）との間の前記空気流に熱エネルギーを伝達するように構成され、配置されている」とは、「前記空気流に熱エネルギーを送達するように構成された手段が、前記少なくとも１つの可変ノズル膨張器と前記少なくとも１つの熱発生器構成要素との間の前記空気流に熱エネルギーを伝達するように構成され、配置されている」という限りにおいて一致している。
　よって、両者の一致点及び相違点は次のとおりである。
［一致点］
　「圧縮空気エネルギー貯蔵システムであって、
　第１の圧力の空気流を受け、前記空気流を第２の圧力に部分的に膨張させるように構成された少なくとも１つの可変ノズル膨張器であって、前記第２の圧力が、前記第１の圧力よりも低く、前記少なくとも１つの可変ノズル膨張器内の前記空気流の膨張が有用な機械動力を生成する、少なくとも１つの可変ノズル膨張器と、
　燃料および前記少なくとも１つの可変ノズル膨張器から部分的に膨張した空気流を受けるように構成された少なくとも１つの熱発生器構成要素と、
　前記熱発生器構成要素から燃焼ガスを受け、前記燃焼ガスを膨張させ、有用な機械動力を生成するように構成された少なくとも１つのタービンと、
　前記空気流に熱エネルギーを送達するように構成された手段と、
を備え、
　前記空気流に熱エネルギーを送達するように構成された手段が、前記少なくとも１つの可変ノズル膨張器と前記少なくとも１つの熱発生器構成要素との間の前記空気流に熱エネルギーを伝達するように構成され、配置されている、
システム。」
［相違点１］
　本願発明においては、少なくとも１つの可変ノズル膨張器が、「第２の圧力を概ね一定の圧力値の圧力範囲内に維持するように制御される」のに対して、引用発明においては、入口静翼取付角可変式空気タービン１５が、空気圧力の上昇とともに翼間通路面積を狭め、上昇した空気の圧力エネルギーを有効に動力として回収し発電量を増大させる点。
［相違点２］
　本願発明においては、「選択的に熱エネルギーを貯蔵し、前記空気流に熱エネルギーを送達するように構成された少なくとも１つの第１の熱エネルギー貯蔵装置および少なくとも１つの第２の熱エネルギー貯蔵装置（３０３、３０５）」を備え、「前記少なくとも１つの第１の熱エネルギー貯蔵装置（３０３、３０５）が、前記少なくとも１つの可変ノズル膨張器（１１５、１１５Ａ、２１５、２１５Ａ）の上流の前記空気流に熱エネルギーを伝達するように構成され、配置されており、前記少なくとも１つの第２の熱エネルギー貯蔵装置（３０３、３０５）が、前記少なくとも１つの可変ノズル膨張器（１１５、１１５Ａ、２１５、２１５Ａ）と前記少なくとも１つの熱発生器構成要素（１２５、２２５）との間の前記空気流に熱エネルギーを伝達するように構成され、配置されている」のに対し、引用発明においては、「前記入口静翼取付角可変式空気タービン（１５）で膨張した空気に熱エネルギーを送達するように構成された再生熱交換器（１７）」を備え、「前記再生熱交換器（１７）が、前記入口静翼取付角可変式空気タービン（１５）と前記燃焼器（１８）との間の空気に熱を伝達するように構成され、配置されている」点。
　上記相違点１について検討する。
　引用発明においては「入口静翼取付角可変式空気タービン（１５）が、空気圧力の上昇とともに翼間通路面積を狭め、上昇した空気の圧力エネルギを有効に動力として回収し，発電量を増大させ」ている。ここで「空気圧力」とは、「入口静翼取付角可変式空気タービン（１５）」の入口側の「空気圧力」と理解できるから、入口側の「空気圧力」が上昇するほど、多くの圧力エネルギを回収するという意味に解される。そして、圧力エネルギを回収すれば、その回収された圧力エネルギ相当分、入口静翼取付角可変式空気タービン（１５）の出口側で圧力は降下する。すなわち、入口静翼取付角可変式空気タービン（１５）の入口側の空気圧力が上昇しても、その分は圧力エネルギとして回収され、回収された圧力エネルギ相当分、入口静翼取付角可変式空気タービン（１５）の出口側で圧力は降下するから、引用発明において入口静翼取付角可変式空気タービン（１５）の出口側の空気圧力は、入口側の空気圧力の上昇に関わらず、所定の範囲内に維持されるものといえる。すなわち、引用発明は、入口静翼取付角可変式空気タービン（１５）が、その出口側の空気圧力（本願発明の「第２の圧力」に相当。）を、所定の範囲内に維持するように制御される、ということができる。
　また、引用文献２記載事項は「ガスタービン１００の燃焼器１１０に空気を供給する圧縮機１０の吐出口の圧力を一定に調節することで、ガスタービン１００の運転及び出力を安定されること。」というものであり、引用文献３記載事項は「ガスタービンの燃焼器へ供給する加圧した空気の圧力を調整する圧力調整手段により、燃焼器への供給空気圧力の変動を抑制すること。」というものであり、引用文献４記載事項は「タービンユニット１０ａの燃焼器２ａに加圧空気を供給する際、燃焼器２ａの入口の圧力を一定に保つこと。」というものである。
　これら引用文献２記載事項ないし引用文献４記載事項によれば、ガスタービンの燃焼器に供給される空気の該燃焼器入口側圧力を概ね一定の圧力値の圧力範囲内に維持することは、本願優先日前に周知の技術であったものと認められる（以下「周知技術」という。）。
　そうすると、入口静翼取付角可変式空気タービン（１５）が、その出口側の空気圧力を、所定の範囲内に維持するように制御されるという引用発明において、当該周知技術を参酌すれば、入口静翼取付角可変式空気タービン（１５）の出口側の空気圧力を概ね一定の圧力値の圧力範囲内に維持するように制御されるようにし、上記相違点１に係る本願発明の構成とすることは、当業者が容易になし得たことである。
　上記相違点２について検討する。
　引用文献５記載事項は「選択的に熱エネルギーを貯蔵し、空気流に熱エネルギーを送達するように構成された第１のＴＥＳユニット４２および第２のＴＥＳユニット４４、を備え、前記第１のＴＥＳユニット４２が、高圧タービン３８の上流の前記空気流に熱エネルギーを伝達するように構成され、配置されており、前記第２のＴＥＳユニット４４が、前記高圧タービン３８と低圧タービン３６との間の前記空気流に熱エネルギーを伝達するように構成され、配置されている、圧縮空気エネルギー貯蔵システム。」というものである。
　ここで、引用文献５記載事項の「第１のＴＥＳユニット４２」は、その機能、構成及び技術的意義からみて、本願発明の「第１の熱エネルギー貯蔵装置」に相当し、同様に、「第２のＴＥＳユニット４２」は「第２の熱エネルギー貯蔵装置」に相当する。
　引用発明と引用文献５記載事項とは、圧縮空気を貯蔵しておき、該貯蔵された圧縮空気を用いてタービンを作動させるという点で共通の機能及び作用を有するものであり、また、空気流上流側のタービンと下流側のタービンとの間に、前記空気流に熱エネルギーを送達するように構成された手段を有するという点でも共通している。
　そうすると、引用発明において、引用文献５記載事項を参酌し、選択的に熱エネルギーを貯蔵し、空気流に熱エネルギーを送達するように構成された少なくとも１つの第１の熱エネルギー貯蔵装置および少なくとも１つの第２の熱エネルギー貯蔵装置を備えるようにし、そして、前記少なくとも１つの第１の熱エネルギー貯蔵装置が、可変ノズル膨張器の上流の前記空気流に熱エネルギーを伝達するように構成され、配置されるようにし、さらに、「再生熱交換器（１７）」を第２の熱エネルギー貯蔵装置とすることにより、上記相違点２に係る本願発明の構成とすることは、当業者が容易になし得たことである。
　そして、本願発明が奏する作用効果は、引用発明、周知技術及び引用文献５記載事項から、当業者が予測し得る範囲内のものであって格別なものではない。
　したがって、本願発明は、引用発明、周知技術及び引用文献５記載事項に基いて、当業者が容易に発明をすることができたものである。
第６　むすび
　以上のとおり、本願発明は、引用発明、周知技術及び引用文献５記載事項に基いて当業者が容易に発明をすることができたものであるから、特許法第２９条第２項の規定により特許を受けることができない。
　よって、結論のとおり審決する。